(57)【要約】      （修正有）【課題】利用可能なＳＰＳ信号を利用するために、必要に応じて適合できるデバイスを持つこと。【解決手段】第１の衛星ポジショニングシステム（ＳＰＳ）に関係する第１の信号を受信するように、少なくとも第１の受信機パスを、動作可能にイネーブルし、他の少なくとも１つのＳＰＳに関係する信号を受信するように、少なくとも第２の受信機パスを、動作可能にイネーブルし、その後に、第１のＳＰＳに関係する第２の信号を受信するように、少なくとも第２の受信機パスを、動作可能にイネーブルする。【選択図】図１
2015057602.tif 000002
【特許請求の範囲】
【請求項１】
第１の衛星ポジショニングシステム（ＳＰＳ）に関係する第１の信号を受信するように、少なくとも第１の受信機パスを、動作可能にイネーブルすることと、
他の少なくとも１つのＳＰＳに関係する信号を受信するように、少なくとも第２の受信機パスを、動作可能にイネーブルすることと、
その後に、前記第１のＳＰＳに関係する第２の信号を受信するように、少なくとも前記第２の受信機パスを、動作可能にイネーブルすることと
を含む方法。
【請求項２】
少なくとも１つのＲＦ環境要因に少なくとも部分的に基づいて、前記第２のＳＰＳ信号を受信するように、少なくとも前記第２の受信機パスを、動作可能にイネーブルすることをさらに含む、請求項１記載の方法。
【請求項３】
前記少なくとも１つのＲＦ環境要因を識別することをさらに含む、請求項２記載の方法。
【請求項４】
時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルすることをさらに含む、請求項１記載の方法。
【請求項５】
前記第１の信号を介して、少なくともしきい値の数の衛星からの情報の受信に少なくとも部分的に応答して、前記第２のＳＰＳ信号を受信するように、少なくとも前記第２の受信機パスを、動作可能にイネーブルすることをさらに含む、請求項１記載の方法。
【請求項６】
少なくともしきい値の信号強度の前記第１の信号の受信に少なくとも部分的に応答して、前記第２の信号を受信するように、少なくとも前記第２の受信機パスを、動作可能にイネーブルすることをさらに含む、請求項１記載の方法。
【請求項７】
少なくともしきい値の信号品質の前記第１の信号の受信に少なくとも部分的に応答して、その後に応答して、前記第２の信号を受信するように、少なくとも前記第２の受信機パスを、動作可能にイネーブルすることをさらに含む、請求項１記載の方法。
【請求項８】
前記第１の信号は、第１の周波数帯域または第１の周波数チャネルに関係しており、前記第２の信号は、第２の周波数帯域または第２の周波数チャネルに関係している、請求項１記載の方法。
【請求項９】
前記第１の信号は、１つのＳＰＳ信号の見通し線バージョンを含み、前記第２の信号は、前記１つのＳＰＳ信号のマルチパスバージョンを含む、請求項１記載の方法。
【請求項１０】
前記第２の信号を受信するように、前記第２の受信機パスを、動作可能にイネーブルすることは、
前記第２の信号を受信するように、前記第２の受信機パスに動作可能に関係している少なくとも１つの適合可能コンポーネントを、選択的に動作可能にイネーブルすることを含む、請求項１記載の方法。
【請求項１１】
前記少なくとも１つの適合可能コンポーネントは、適合可能アンテナ、少なくとも１つの選択可能アンテナ、適合可能フィルタ、適合可能シンセサイザー、および／または、ベースバンドプロセッサのうちの少なくとも１つを含む、請求項１０記載の方法。
【請求項１２】
前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、請求項１記載の方法。
【請求項１３】
前記第１の信号および前記第２の信号のうちの少なくとも１つに少なくとも部分的に基づいて、ポジションロケーション情報を決定することをさらに含む、請求項１記載の方法。
【請求項１４】
複数の受信機パスと、
前記複数の受信機パスに動作可能に結合されている制御装置と
を具備する装置において、
前記制御装置は、
（ｉ）第１の衛星ポジショニングシステム（ＳＰＳ）に関係する第１の信号を受信するように、少なくとも第１の受信機パスを、動作可能にイネーブルし、
（ｉｉ）他の少なくとも１つのＳＰＳに関係する信号を受信するように、少なくとも第２の受信機パスを、動作可能にイネーブルし、
（ｉｉｉ）前記第１のＳＰＳに関係する第２の信号を受信するように、少なくとも前記第２の受信機パスを、選択的に動作可能にイネーブルする
ように動作可能にイネーブルされている、装置。
【請求項１５】
前記制御装置は、
少なくとも１つのＲＦ環境要因に少なくとも部分的に基づいて、前記第２のＳＰＳ信号を受信するように、少なくとも前記第２の受信機パスを、動作可能にイネーブルするようにイネーブルされている、請求項１４記載の装置。
【請求項１６】
前記制御装置に動作可能に結合されている回路をさらに具備し、
前記回路は、前記少なくとも１つのＲＦ環境要因を識別するようにイネーブルされている、請求項１５記載の装置。
【請求項１７】
前記制御装置は、
時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルするようにイネーブルされている、請求項１４記載の装置。
【請求項１８】
前記制御装置は、
前記第１の信号を介して、少なくともしきい値の数の衛星からの情報の受信に少なくとも部分的に応答して、前記第２の信号を受信するように、少なくとも前記第２の受信機パスを、選択的に動作可能にイネーブルするようにイネーブルされている、請求項１４記載の装置。
【請求項１９】
前記制御装置は、
少なくともしきい値の信号強度を有する前記第１の信号の受信に少なくとも部分的に応答して、前記第２の信号を受信するように、少なくとも前記第２の受信機パスを、選択的に適合させるように動作可能にイネーブルされている、請求項１４記載の装置。
【請求項２０】
前記制御装置は、
少なくともしきい値の信号品質を有する前記第１の信号の受信に少なくとも部分的に応答して、前記第２の信号を受信するように、少なくとも前記第２の受信機パスを、選択的に適合させるように動作可能にイネーブルされている、請求項１４記載の装置。
【請求項２１】
前記第１の信号は、第１の周波数帯域または第１の周波数チャネルに関係しており、前記第２の信号は、第２の周波数帯域または第２の周波数チャネルに関係している、請求項１４記載の装置。
【請求項２２】
前記第１の信号は、１つのＳＰＳ信号の見通し線バージョンを含み、前記第２の信号は、前記１つのＳＰＳ信号のマルチパスバージョンを含む、請求項１４記載の装置。
【請求項２３】
少なくとも前記第２の受信機パスは、適合可能アンテナ、少なくとも１つの選択可能アンテナ、適合可能フィルタ、適合可能シンセサイザー、および／または、ベースバンドプロセッサのうちの少なくとも１つに動作可能に関係している、請求項１４記載の装置。
【請求項２４】
前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、請求項１４記載の装置。
【請求項２５】
少なくとも前記複数の受信機パスに動作可能に結合されているポジションロケーターをさらに具備し、
前記ポジションロケーターは、
前記第１の信号および前記第２の信号のうちの少なくとも１つに少なくとも部分的に基づいて、ポジションロケーション情報を決定するように動作可能にイネーブルされている、請求項１４記載の装置。
【請求項２６】
少なくとも前記複数の受信機パスと、前記制御装置とは、移動体デバイス内で提供される、請求項１４記載の装置。
【請求項２７】
第１の衛星ポジショニングシステム（ＳＰＳ）に関係する第１の信号を選択的に受信する手段と、
第２のＳＰＳに関係する信号を選択的に受信する手段と、
前記第１の信号に少なくとも部分的に基づいて、前記第２のＳＰＳに優先して前記第１のＳＰＳを選択し、これに応答して、前記第２のＳＰＳに関係する信号を選択的に受信する手段に、前記第１のＳＰＳに関係する第２の信号を選択的に受信することを開始させる手段と
を具備する装置。
【請求項２８】
前記第２のＳＰＳに優先して前記第１のＳＰＳを選択する手段は、少なくとも１つのＲＦ環境要因に少なくとも部分的に基づいて、前記第２のＳＰＳ信号を受信するように、少なくとも前記第２の受信機パスを、動作可能にイネーブルするようにイネーブルされている、請求項２７記載の装置。
【請求項２９】
前記少なくとも１つのＲＦ環境要因を識別する手段をさらに具備する、請求項２８記載の装置。
【請求項３０】
前記第２のＳＰＳに優先して前記第１のＳＰＳを選択する手段は、時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルするようにイネーブルされている、請求項２７記載の装置。
【請求項３１】
前記第２のＳＰＳに優先して前記第１のＳＰＳを選択する手段は、前記第２のＳＰＳに関係する前記信号を選択的に受信する手段に、前記関係する第２のＳＰＳ信号を選択的に受信することを開始させる前に、前記第１の信号を介して、少なくともしきい値の数の衛星からの情報が受信されたか否かを決定するように、動作可能にイネーブルされている、請求項２７記載の装置。
【請求項３２】
前記第２のＳＰＳに優先して前記第１のＳＰＳを選択する手段は、前記第２のＳＰＳに関係する信号を選択的に受信する手段に、前記関係する第２のＳＰＳ信号を選択的に受信することを開始させる前に、少なくともしきい値の信号強度を有する前記第１の信号が受信されたか否かを決定するように、動作可能にイネーブルされている、請求項２７記載の装置。
【請求項３３】
前記第２のＳＰＳに優先して前記第１のＳＰＳを選択する手段は、前記第２のＳＰＳに関係する信号を選択的に受信する手段に、前記関係する第２のＳＰＳ信号を選択的に受信することを開始させる前に、少なくともしきい値の信号品質を有する前記第１の信号が受信されたか否かを決定するように、動作可能にイネーブルされている、請求項２７記載の装置。
【請求項３４】
前記第１の信号は、第１の周波数帯域または第１の周波数チャネルに関係しており、前記第２の信号は、第２の周波数帯域または第２の周波数チャネルに関係している、請求項２７記載の装置。
【請求項３５】
前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、請求項２７記載の装置。
【請求項３６】
前記第１の信号および前記第２の信号のうちの少なくとも１つに少なくとも部分的に基づいて、ポジションロケーション情報を決定する手段をさらに含む、請求項２７記載の装置。
【請求項３７】
コンピュータ実行可能命令を記憶しているコンピュータ読取可能媒体を有する製品において、
前記コンピュータ実行可能命令は、１つ以上の処理ユニットによって実行される場合に、前記１つ以上の処理ユニットを動作可能にイネーブルして、
（ｉ）第１の衛星ポジショニングシステム（ＳＰＳ）に関係する第１の信号を受信するように、少なくとも第１の受信機パスを適合させ、
（ｉｉ）他の少なくとも１つのＳＰＳに関係する信号を受信するように、少なくとも第２の受信機パスを適合させ、
（ｉｉｉ）前記第１のＳＰＳに関係する第２の信号を受信するように、少なくとも前記第２の受信機パスを、選択的に適合させる製品。
【請求項３８】
前記コンピュータ実行可能命令は、１つ以上の処理ユニットによって実行される場合に、前記１つ以上の処理ユニットを動作可能にイネーブルして、少なくとも１つのＲＦ環境要因に少なくとも部分的に基づいて、前記第２のＳＰＳ信号を受信するように、少なくとも前記第２の受信機パスを、動作可能にイネーブルさせる、請求項３７記載の製品。
【請求項３９】
前記コンピュータ実行可能命令は、１つ以上の処理ユニットによって実行される場合に、前記１つ以上の処理ユニットを動作可能にイネーブルして、前記少なくとも１つのＲＦ環境要因にアクセスさせ、または、前記少なくとも１つのＲＦ環境要因を受信させる、請求項３８記載の製品。
【請求項４０】
前記コンピュータ実行可能命令は、１つ以上の処理ユニットによって実行される場合に、前記１つ以上の処理ユニットを動作可能にイネーブルして、時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルさせる、請求項３７記載の製品。
【請求項４１】
前記コンピュータ実行可能命令は、１つ以上の処理ユニットによって実行される場合に、前記１つ以上の処理ユニットを動作可能にイネーブルして、前記第１の信号を介して、少なくともしきい値の数の衛星からの情報の受信に少なくとも部分的に応答して、前記第２の信号を受信するように、少なくとも前記第２の受信機パスを、動作可能にイネーブルさせる、請求項３７記載の製品。
【請求項４２】
前記コンピュータ実行可能命令は、１つ以上の処理ユニットによって実行される場合に、前記１つ以上の処理ユニットを動作可能にイネーブルして、少なくともしきい値の信号強度を有する前記第１の信号の受信に少なくとも部分的に応答して、前記第２の信号を受信するように、少なくとも前記第２の受信機パスを、動作可能にイネーブルさせる、請求項３７記載の製品。
【請求項４３】
前記コンピュータ実行可能命令は、１つ以上の処理ユニットによって実行される場合に、前記１つ以上の処理ユニットを動作可能にイネーブルして、少なくともしきい値の信号品質を有する前記第１の信号の受信に少なくとも部分的に応答して、前記第２の信号を受信するように、少なくとも前記第２の受信機パスを、動作可能にイネーブルさせる、請求項３７記載の製品。
【請求項４４】
前記第１の信号は、第１の周波数帯域または第１の周波数チャネルに関係しており、前記第２の信号は、第２の周波数帯域または第２の周波数チャネルに関係している、請求項３７記載の製品。
【請求項４５】
前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、請求項３７記載の製品。
【発明の詳細な説明】
【関連出願】
【０００１】
本特許出願は、２００８年１１月２５日に出願され、“リコンフィギャラブル衛星ポジショニングシステム受信機”と題された、米国仮特許出願第６１／１１７，８５７号に対する優先権を主張し、これは、ここで、参照により、その全体を組み込まれている。
【分野】
【０００２】
ここで開示する主題は、電子的デバイスに関連し、より詳細には、複数の衛星ポジショニングシステム（ＳＰＳ）受信機パスまたは類似物を持つデバイスにおいて使用するための方法と装置に関連する。
【背景】
【０００３】
ワイヤレス通信システムは、急速に、デジタル情報の領域において、最も普及している技術のうちの１つになりつつある。衛星およびセルラ電話機サービスまたは他の類似のワイヤレス通信ネットワークは、既に、地球全体に行き渡っている。さらに、さまざまなタイプおよびサイズの新しいワイヤレスシステム（例えば、ネットワーク）が、日々追加されており、据置型および携帯型の両方のおびただしい量のデバイスの間で接続を提供している。これらのワイヤレスシステムの多くのものは、他の通信システムおよびリソースを通して互いに結合されて、さらなる通信と情報の共有とを改善している。実際、いくつかのデバイスにとっては、１つ以上のワイヤレス通信システムと通信できることは、珍しいことではなく、この傾向は拡大しているように見える。
【０００４】
別の人気があり、ますます重要になっているワイヤレス技術は、ナビゲーションシステム、特に、例えば、グローバルポジショニングシステム（ＧＰＳ）と、他の類似のグローバルナビゲーション衛星システム（ＧＮＳＳ）とのような衛星ポジショニングシステム（ＳＰＳ）を含み、ＧＮＳＳは、例えば、Ｇａｌｉｌｅｏ、Ｇｌｏｎａｓｓ、Ｃｏｍｐａｓｓ／Ｂｅｉｄｏｕ、ＱＺＳＳである。一度受信されたＳＰＳ信号は、例えば、グローバル時間、ＳＰＳ受信機パスを有するデバイスに関係する、概位地理的ロケーション、高度、および／または、速度を決定するために、処理されてもよい。
【概要】
【０００５】
例えば、第１の衛星ポジショニングシステム（ＳＰＳ）に関係する第１の信号を受信するための少なくとも第１の受信機パスを動作可能にイネーブルし、少なくとも１つの他のＳＰＳに関係する信号を受信するための少なくとも第２の受信機パスを動作可能にイネーブルし、その後に、第１のＳＰＳに関係する第２の信号を受信するための少なくとも第２の受信機パスを動作可能にイネーブルするように実現されてもよい、方法と装置が提供される。
【０００６】
ある例示的な観点にしたがうと、方法が提供されてもよく、方法は、第１のＳＰＳに関係する第１の信号を受信するように、少なくとも第１の受信機パスを、動作可能にイネーブルすることと、他の少なくとも１つのＳＰＳに関係する信号を受信するように、少なくとも第２の受信機パスを、動作可能にイネーブルすることと、その後に、第１のＳＰＳに関係する第２の信号を受信するように、少なくとも前記第２の受信機パスを、動作可能にイネーブルすることとを含む。
【０００７】
他の例示的な観点にしたがうと、装置が提供されてもよく、装置は、複数の受信機パスと、複数の受信機パスに動作可能に結合されている制御装置とを具備し、制御装置は、（ｉ）第１のＳＰＳに関係する第１の信号を受信するように、少なくとも第１の受信機パスを、動作可能にイネーブルし、（ｉｉ）他の少なくとも１つのＳＰＳに関係する信号を受信するように、少なくとも第２の受信機パスを、動作可能にイネーブルし、（ｉｉｉ）前記第１のＳＰＳに関係する第２の信号を受信するように、少なくとも前記第２の受信機パスを、選択的に動作可能にイネーブルするように動作可能にイネーブルされている。
【図面の簡単な説明】
【０００８】
制限的でなく、排他的でない観点が、以下の図面に対する参照とともに、記述され、ここで、同一の参照番号は、そうではないとして指定されない限り、さまざまな図面にわたって同一の部分を指す。  
【図１】図１は、ある例示的な実施形態にしたがった、複数の適合可能な受信機を持っている少なくとも１つの衛星ポジショニングシステム（ＳＰＳ）インターフェースを有するデバイスを備える環境を図示するブロック図である。
【図２】図２は、例えば、図１中のデバイスによって受信するのに適切であってもよいさまざまな衛星ポジショニングシステム（ＳＰＳ）信号に関係するいくつかの例示的なスペクトルを示す例示的グラフである。
【図３】図３は、例えば、図１の環境中で実現されてもよい、ＳＰＳインターフェースを持っている例示的なデバイスのある特徴を図示するブロック図である。
【図４】図４は、例えば、図１の環境中で実現されてもよい、方法またはプロセスを図示するフロー図である。
【図５】図５は、例えば、図１中のデバイス中で実現されてもよい複数の適合可能な受信機パスを持っている例示的な装置のある特徴を図示する概念図である。
【詳細な説明】
【０００９】
例えば、衛星ポジショニングシステム（ＳＰＳ）のようないくつかのナビゲーションシステムが、適合可能に構成されているデバイスによって使用するために、現在、利用可能である。例えば、グローバルポジショニングシステム（ＧＰＳ）との使用に対して構成されていてもよいあるデバイスもあれば、グローバルナビゲーション衛星システム（ＧＮＳＳ）との使用に対して構成されていてもよい他のデバイスもあってもよい。１つ以上のＳＰＳまたはＧＮＳＳからの信号の利用可能性は、ロケーションのようないくつかの考慮事項に依拠して異なってもよい。したがって、利用可能なＳＰＳ信号を利用するために、必要に応じて適合できるデバイスを持つことが、有利であるだろう。
【００１０】
このことを念頭において、第１の衛星ポジショニングシステム（ＳＰＳ）に関係する第１の信号を受信するように、少なくとも第１の受信機パスをイネーブルし、少なくとも１つの他のＳＰＳに関係する信号を受信するように、少なくとも第２の受信機パスをイネーブルし、その後に、第１のＳＰＳに関係する第２の信号を受信するように少なくとも第２の受信機パスをイネーブルする、方法／プロセス、および、装置が、ここで提供される。
【００１１】
図１は、本開示のある例示的な実施形態にしたがった、少なくともいくつかの形態のナビゲーションサービスを提供するようにイネーブルされた、さまざまなコンピューティングおよび通信リソースを具備するワイヤレス環境１００を図示するブロック図である。
【００１２】
制限的でない例として、ここで提示されるいくつかの例において、デバイス１０２は、複数の受信機１１２を含んでもよく、これは、例えば、第１の衛星ポジショニングシステム（ＳＰＳ）１０６と、第２のＳＰＳ１０８とのような、複数のナビゲーションシステムのうちの１つに関係する、特定のワイヤレス信号を受信するように、個別にイネーブルされている。
【００１３】
ある実施形態において、ワイヤレス環境１００は、デバイス１０２に関して、通信、および／または、他の情報処理サービスを提供するようにイネーブルされたさまざまなコンピューティングおよび通信リソースをさらに具備してもよい。したがって、例えば、ワイヤレス環境１００は、少なくとも１つのワイヤレス通信システム１０４に対してワイヤレス信号を送信し、および／または、少なくとも１つのワイヤレス通信システム１０４からワイヤレス信号を受信するようにイネーブルされている少なくとも１つのデバイス１０２を具備していてもよい、任意のシステムを代表するもの、または、その一部であってもよい。
【００１４】
デバイス１０２は、例えば、移動体デバイス、または、移動可能であるが、主として据置型のままであることを意図しているデバイスを含んでもよい。しがたって、ここで使用するように、用語“デバイス”および“移動体デバイス”は、相互交換可能に使用してもよく、それぞれの用語は、ワイヤレス信号を送信および／または受信してもよい単一の何らかのデバイス、あるいは、デバイスの何らかの結合可能なグループを指すことを意図している。
【００１５】
制限的でない例として、図１において、アイコンを使用して図示したように、デバイス１０２は、セルラ電話機、スマートフォン、パーソナルデジタルアシスタント、ポータブルコンピューティングデバイス、ナビゲーションユニット、および／または、類似物、あるいは、これらの何らかの組み合わせのような移動体デバイスを含んでもよい。他の例示的な実施形態において、デバイス１０２は、移動体または据置型である機械の形態をとってもよい。さらに、他の例示的な実施形態では、デバイス１０２は、１つ以上の集積回路、回路ボード、および／または、別のデバイス中での使用に対して動作可能にイネーブルされていてもよい類似物の形態をとってもよい。
【００１６】
デバイス１０２の形態にかかわらず、デバイス１０２は、少なくとも２つの受信機１１２−１と、１１２−２とを備えてもよく、受信機のそれぞれは、特定の信号を受信するように選択的にイネーブルされてもよい。ある実施形態では、受信機１１２−１と、１１２−２とは、同時に動作してもよい。ここで使用する、用語“受信機”と“受信機パス”とは、相互交換可能に使用してもよく、それぞれが、２つ以上の衛星ポジショニングシステム（ＳＰＳ）に関係する信号を少なくとも受信するように選択的にイネーブルされていてもよい、任意の回路および／または類似物を指してもよい。受信されることになる信号は、同一のまたは異なる、搬送周波数、周波数帯域、および／または、（例えば、周波数帯域内の）周波数チャネルで送信されてもよい。受信されることになる信号は、同一のまたは異なる、変調、コーディング、または、情報を送信するための、他の類似の技術を使用して送信されてもよい。ある実施形態では、２つ以上の受信機および／または受信機パスが、回路および／または類似物（例えば、処理ユニット、メモリ、アンテナ等）の一部を共有するようにイネーブルされていてもよい。
【００１７】
制限的でない例として、ここで提示する例のいくつかにおいて、デバイス１０２は、少なくとも１つのワイヤレス通信システム１０４（例えば、ワイヤレス電話システム、ワイヤレスローカルエリアネットワーク、パーソナルエリアネットワーク、および／または、類似物）に関係するワイヤレス信号を受信および／または送信するようにイネーブルされている無線１１４を備えていてもよい。ある実施形態では、デバイス１０２は、ワイヤレス通信システム１０４からのワイヤレス信号だけを受信するようにイネーブルされていてもよく、他の実施形態では、デバイス１０２は、ワイヤレス通信システムに対するワイヤレス信号だけを送信するようにイネーブルされていてもよい。
【００１８】
図１に図示したように、ワイヤレス通信システム１０４は、単にクラウド１１０によって表現した、他のデバイスおよび／またはリソースと通信するように、および／または、そうでなければ動作可能にアクセスするようにイネーブルされていてもよい。例えば、クラウド１１０は、１つ以上の通信デバイス、システム、ネットワーク、もしくは、サービス、および／または、類似物、あるいは、これらの組み合わせを含んでもよい。
【００１９】
ワイヤレス通信システム１０４は、ワイヤレス信号を受信および／または送信するようにイネーブルされている任意のワイヤレス通信システムまたはネットワークを表す。制限的でない例として、ワイヤレス通信システム１０４は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）、ブルートゥース（登録商標）通信システム、ＷｉＦｉ通信システム、移動体通信のためのグローバルシステム（ＧＳＭ（登録商標））システム、進化データ専用／進化データ最適化（ＥＶＤＯ）通信システム、ウルトラ移動体ブロードバンド（ＵＭＢ）通信システム、長期進化（ＬＴＥ）通信システム、移動体衛星サービス副次地上コンポーネント（ＭＳＳ−ＡＴＣ）通信システム、および／または、類似物を含んでもよい。
【００２０】
用語“ネットワーク”および“システム”は、ここで、相互交換可能に使用してもよい。ＷＷＡＮは、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波分割多元接続（ＳＣ−ＦＤＭＡ）ネットワーク等であってもよい。ＣＤＭＡネットワークは、１つ以上の無線接続技術（ＲＡＴ）、いくつかの無線技術を挙げると、ｃｄｍａ２０００、広帯域−ＣＤＭＡ（Ｗ−ＣＤＭＡ）のようなＲＡＴを実現してもよい。ここで、ｃｄｍａ２０００は、ＩＳ−９５、ＩＳ−２０００、および、ＩＳ−８５６標準規格にしたがって、実現される技術を含んでもよい。ＴＤＭＡネットワークは、移動体通信のためのグローバルシステム（ＧＳＭ）、デジタルアドバンスト移動体電話システム（Ｄ−ＡＭＰＳ）、または、他の何らかのＲＡＴを実現してもよい。ＧＳＭとＷ−ＣＤＭＡは、“第３世代パートナーシッププロジェクト”（３ＧＰＰ）と称される組織からの文書に説明されている。ｃｄｍａ２０００は、“第３世代パートナーシッププロジェクト２”（３ＧＰＰ２）と称される組織からの文書に説明されている。３ＧＰＰおよび３ＧＰＰ２文書は、公的に利用可能である。例えば、ＷＬＡＮは、ＩＥＥＥ８０２．１１ｘネットワークを含んでもよく、ＷＰＡＮは、ブルートゥースネットワーク、ＩＥＥＥ８０２．１５ｘを含んでもよい。ここで記述する、このようなロケーション決定技術を、ＷＷＡＮ、ＷＬＡＮ、および／または、ＷＰＡＮの何らかの組み合わせに対して使用してもよい。
【００２１】
デバイス１０２は、図１において、複数のＳＰＳ信号送信衛星１０６−１、１０６−２、１０６−３、・・・、１０６−ｘを持っている第１のＳＰＳ１０６と、複数のＳＰＳ信号送信衛星１０８−１、１０８−２、１０８−３、・・・、１０８−ｘを持っている第１のＳＰＳ１０６とによって図示した、少なくとも２つのナビゲーションシステムからのワイヤレス信号を少なくとも受信するようにイネーブルされていてもよい。当業者は、ＳＰＳ１０６および／またはＳＰＳ１０８のどちらも、図示した衛星に加えて、または、図示した衛星の代わりに、追加的な送信および／または他の補助的なリソースを含んでもよい。
【００２２】
ＳＰＳ１０６および／またはＳＰＳ１０８の衛星は、それぞれが一意的なＳＰＳ信号を送信するようにイネーブルされていてもよく、一意的なＳＰＳ信号の少なくとも一部が、デバイス１０２によって受信されて、例えば、時間、範囲、ロケーション、位置等を決定するためのナビゲーションのために何らかの方法で使用されてもよい。特定のナビゲーションシグナリングおよび位置決定技術は、使用されているナビゲーションシステムに依拠して異なっていてもよい。
【００２３】
ＳＰＳは、送信機から受信された信号に少なくとも部分的に基づいて、地球上のそれらのロケーションを決定するように、エンティティをイネーブルするために位置決定される送信機のシステムを備えてもよい。このような送信機は、典型的に、１組の数のチップの繰り返しの擬似ランダム雑音（ＰＮ）コードでマーク付けされている信号を送信し、地上ベースの制御局、ユーザ装置、および／または、宇宙飛行体上に位置していてもよい。特定の例において、このような送信機は、図１に図示したように、地球を軌道とする衛星上に位置していてもよい。例えば、グローバルポジショニングシステム（ＧＰＳ）またはガリレオのようなグローバルナビゲーション衛星システム（ＧＮＳＳ）のコンステレーションにおける衛星は、コンステレーション中の他の衛星によって送信されたＰＮコードから区別可能なＰＮコードでマーク付けされた信号を送信してもよい。
【００２４】
そのロケーションを推定するために、デバイス１０２は、衛星から受信された信号中のＰＮコードの検出に少なくとも部分的に基づいた、よく知られた技術を使用して、受信機を“考慮して”、衛星に対する擬似距離測定を決定してもよい。このような衛星に対する擬似距離測定は、受信機において受信された信号を捕捉するプロセスの間に、衛星に関係するＰＮコードでマークされた受信信号中で、検出されたコード位相に少なくとも部分的に基づいて決定されてもよい。受信信号を捕捉するために、デバイス１０２は、一般的に、衛星に関係してローカルに発生されたＰＲＮコードと、受信信号とを相関させる。例えば、デバイス１０２は、一般的に、このような受信信号と、このようなローカルに発生されたＰＮコードの、複数の、コードおよび／または時間シフトされたバージョンとを相関させる。最高の信号パワーを有する相関結果を生み出す、特定の時間および／またはコードシフトされたバージョンの検出は、上に述べたように擬似距離を測定する際に使用するための捕捉された信号に関係するコード位相を示してもよい。
【００２５】
したがって、ある実施形態において、デバイス１０２は、他のデバイスからの追加的な補助なしで、このような方法で、または、他の同様な方法で、そのロケーションを決定するようにイネーブルされていてもよい。他の実施形態では、しかしながら、デバイス１０２は、他の１つ以上のデバイスと同様な方法で動作されて、そのロケーションを決定するように、および／または、他のナビゲーション関連の動作を補助するように動作するようにイネーブルされてもよい。このようなナビゲーション技術もまた、良く知られている。
【００２６】
このような実施形態において、デバイス１０２は、例えば、ＧＰＳ、Ｇａｌｉｌｅｏ、Ｇｌｏｎａｓｓ、Ｃｏｍｐａｓｓ、および、これらのシステムの組み合わせからの衛星を使用する、他の類似のシステム、あるいは、ここで一般的にＳＰＳとして呼ぶ、詳細において開発される任意のＳＰＳのような、２つ以上のＧＮＳＳからのＳＰＳ信号を受信するようにイネーブルされていてもよい。ここで使用するように、ＳＰＳは、また、擬似衛星システムおよび／または、他の類似の支援または拡張ＳＰＳを含むとして理解されることになるだろう。
【００２７】
擬似衛星は、ＰＮコード、または、Ｌ−帯域で（または、他の周波数で）変調された（例えば、ＧＰＳまたはＣＤＭＡセルラ信号に類似した、）他の測距コードをブロードキャストする、地上ベースの送信機を含んでもよく、これは、ＧＰＳ時間に同期されていてもよい。このような送信機は、リモード受信機による識別を許容するために、一意的なＰＮコードを割り当てられていてもよい。擬似衛星は、トンネル、鉱山、建物、都市の谷間、あるいは、他の閉塞されているエリアにおいてのような、軌道衛星からのＳＰＳ信号が、利用可能でないかもしれない状況において、有用である。ここで使用するように、用語“衛星”は、擬似衛星、擬似衛星の均等物、および、潜在的に他のものを含むことを意図している。ここでＳＰＳに関して使用するように、用語“信号”は、擬似衛星、擬似衛星の均等物、および／または、類似物からのＳＰＳ類似の信号を含むことを意図している。
【００２８】
デバイス１０２の受信機１１２−１および１１２−２は、１つ以上の動作モードを介して、選択された信号を受信するように選択的にイネーブルされていてもよい。例えば、受信機１１２−１は、第１の動作モードによって、選択的にイネーブルされて、ＳＰＳ１０６からの特定の信号を受信してもよく、他方、受信機１１２−２は、第２の動作モードによって、選択的にイネーブルされて、ＳＰＳ１０８からの特定の信号を受信してもよい。受信機を、このような方法でイネーブルすること（例えば、構成すること）によって、デバイス１０２に対して、どの信号が利用可能であるのか、および／または、有用であるのかを決定し、あるいは、他の方法で、識別してもよい。例えば、ある実施形態において、デバイス１０２は、複数の対応してイネーブルされている受信機を使用して、複数の異なるＳＰＳからのさまざまな信号を受信しようと試みるように構成されていてもよい。このような試みは、デバイス１０２が、継続的および／または追加的な信号受信に対して、１つ以上の特定のＳＰＳを連続的に選択することを可能にする。したがって、上の例でのように、受信機１１２−１が、ＳＰＳ１０６からの第１の信号を受信した場合、受信機１１２−２は、ＳＰＳ１０８からの信号を受信せず、次に、デバイス１０２は、継続的および／または追加的な信号受信に対して、ＳＰＳ１０６を選択してもよく、その後に、このような受信機１１２−２は、ＳＰＳ１０６からの第２の信号を受信するように、イネーブルされてもよい。ここで、第２の信号は、第１の信号の第２の受信バージョン（例えば、マルチパス）、または、異なる信号であってもよい。例えば、第２の信号は、異なる周波数帯域、異なる周波数チャネル、および／または、類似物に関係するという点で、第１の信号と異なっていてもよい。
【００２９】
受信機１１２−２の次の適合は、例えば、第３の動作モードにしたがっていてもよい。ここで、例えば、異なる周波数帯域または周波数チャネルで送信される、ＳＰＳ１０６からの追加的信号が、改善された信号受信を可能にしてもよく、および／または、そうでなければ、改善されたナビゲーション能力をサポートしてもよい。別の例において、受信機１１２−２は、その後に、少なくとも１つの異なるアンテナ、アンテナエレメント、アンテナ適合、および、受信機１１２−１に関係していない類似物で、ＳＰＳ１０６からの信号を受信するように、イネーブルされてもよい。例えば、ここで、結果としてのアンテナダイバーシティは、ＳＰＳ１０６からの信号の改善された受信を可能にしてもよい。
【００３０】
図２は、既存の、および／または、計画されているグローバルナビゲーション衛星システム（ＧＮＳＳ）によって表現される、さまざまな例示的なＳＰＳに関係する複数のワイヤレス信号送信を表す異なるスペクトルを図示するグラフ２００である。グラフ２００において示す排他的でない例において、さまざまな異なるタイプのスペクトルが、指定された標準規格、周波数帯域および／または周波数帯域に関係するチャネルにしたがって、規定されてもよい搬送波または中心周波数（ｆn）に、センタリングされているとして、または、そうではなく、関係付けられているとして、図示されている。当業者は、図２のスペクトルとともに、さまざまな周波数は、単に図示的なものであり、形状、配置、および、サイズによって実際の波形、通信スキーム、または、技術を意図しておらず、ならびに／あるいは、そうではなく、ここで特許請求の範囲を何らかの方法で制限することを意図していないことを理解するだろう。
【００３１】
したがって、制限的ではなく、例示的な方法で、グラフ２００を参照して、ＳＰＳ信号３３２および／または３３４は、以下のようなＧＮＳＳ信号を含んでもよい。すなわち、（スペクトル２１６で表され、ここで、
【数１】
2015057602.tif 000003
【００３２】
である）ＧＰＳ  Ｌ１Ｃ帯域信号や；（スペクトル２０６で表され、ここで、
【数２】
2015057602.tif 000004
【００３３】
である）ＧＰＳ  Ｌ２Ｃ帯域信号や；（スペクトル２０２で表され、ここで、
【数３】
2015057602.tif 000005
【００３４】
である）ＧＰＳ  Ｌ５帯域信号や；（スペクトル２１６で表され、ここで、
【数４】
2015057602.tif 000006
【００３５】
である）Ｇａｌｉｌｅｏ  Ｌ１Ｆ帯域信号や；（スペクトル２０２で表され、ここで、
【数５】
2015057602.tif 000007
【００３６】
である）Ｇａｌｉｌｅｏ  Ｅ５Ａ帯域信号や；（スペクトル２２２で表され、ここで、
【数６】
2015057602.tif 000008
【００３７】
である）Ｇｌｏｎａｓｓ  Ｌ１帯域信号や；（スペクトル２０８で表され、ここで、
【数７】
2015057602.tif 000009
【００３８】
である）Ｇｌｏｎａｓｓ  Ｌ２帯域信号や；（スペクトル２１２で表され、ここで、
【数８】
2015057602.tif 000010
【００３９】
であり、スペクトル２２０で表され、ここで、
【数９】
2015057602.tif 000011
【００４０】
である）Ｃｏｍｐａｓｓ（Ｂｅｉｄｏｕ）  Ｌ１帯域信号や；（スペクトル２０４で表され、ここで、
【数１０】
2015057602.tif 000012
【００４１】
であり、スペクトル２１０で表され、ここで、
【数１１】
2015057602.tif 000013
【００４２】
である）Ｃｏｍｐａｓｓ（Ｂｅｉｄｏｕ）  Ｌ２帯域信号や；および／または、類似物（例えば、１つ以上のＱＺＳ信号等）のような、ＧＮＳＳ信号を含んでもよい。
【００４３】
図２に図示したように、さまざまなＳＰＳ信号が、多様な周波数にわたって分散される。したがって、このようなＳＰＳ信号の間で、ＳＰＳ受信機を選択的に切り替えることは、デバイス１０２が、ＳＰＳ信号干渉を回避し、または、そうでなければ、減少させることを可能にしてもよい。また、図２に図示したように、スペクトルの例示的な形状を異なるようにすることによって、異なる送信技術を、異なるＧＮＳＳによって、および／または、異なる周波数帯域、および／または、チャネルによって用いてもよい。例えば、Ｇｌｏｎａｓｓ信号は、周波数分割多重化されており、したがって、ＧＰＳまたは他の類似のコード分割多重化された信号とは、異なった形状のスペクトルとともに図示されている。このような技術は、よく知られている。
【００４４】
ここで、図３に対する参照を行い、図３は、例えば、環境１００において使用するためにイネーブルされていてもよい例示的なシステム３００を図示するブロック図である。システム３００は、デバイス１０２、ＳＰＳ１０６、および、ＳＰＳ１０８を備えていてもよい。
【００４５】
示したように、デバイス１０２は、ＳＰＳインターフェース３０４に動作可能に結合されている制御装置３０２を含んでもよい。制御装置３０２は、例えば、メモリ３０８に対して動作可能に結合されていてもよい、少なくとも１つの処理ユニット３０６を含んでもよい。この例において、処理ユニットとメモリを使用して図示したが、制御装置３０２は、ＳＰＳインターフェース３０４内で提供されてもよい２つ以上の受信機を選択的にイネーブルすることに関係する機能を実行するように構成されていてもよい、任意のハードウェア、ファームウェア、ソフトウェア、および／または、これらの組み合わせを表していてもよい。例えば、他のある実施形態において、処理ユニット３０６とメモリ３０８の機能は、結合されてもよく、組み合わせのロジック、ＡＳＩＣ、または、類似物を使用して提供されてもよい。
【００４６】
この例において、処理ユニット３０６は、例えば、メモリ３０８中で識別されてもよい、および／または、そうではなく確立されてもよい、複数の動作モードに基づいて、ＳＰＳインターフェース３０４内で、受信機１１２を選択的に適合させるように構成されていてもよい。例えば、第１のモード３１０、第２のモード３１２、・・・、および、第ｎ番目のモード３１４に関係する情報および／または命令が、メモリ３０８内に記憶されてもよい。例えば、第１のモード３１０は、ＳＰＳ１０６に関係する第１の信号３５０を受信するように受信機１１２を適合させるのに使用されてもよい情報および／または命令を含んでもよく、第２のモード３１２は、ＳＰＳ１０６に関係する第２の信号３５２を受信するように受信機１１２を適合させるのに使用されてもよい情報および／または命令を含んでもよく、第ｎのモード３１４は、ＳＰＳ１０８に関係する信号３５４を受信するように受信機１１２を適合させるのに使用されてもよい情報および／または命令を含んでもよい。このような情報および／または命令は、例えば、ＳＰＳインターフェース３０４、制御装置３０２、ＳＰＳ１０８、および／または、他のシステム３００のリソースの設計に依拠して、異なっていてもよい。例として、ある例示的な実施形態では、第１のモード３１０は、特定のＳＰＳ（例えば、ＧＮＳＳ）を指定してもよく、必要とされる場合、受信機が受信するようにイネーブルされるべきである、周波数、周波数帯域、および／または、周波数チャネルを指定してもよい。したがって、処理ユニット３０６は、例えば、メモリ３０８中の少なくとも１つの動作モードに少なくとも部分的に基づいて、モード３４０によって、受信機１１２を適合させてもよい。
【００４７】
処理ユニット３０６は、例えば、選択情報３２０および／または選択基準３２２に少なくとも部分的に基づいて、モード３４０によって、受信機１１２を適合させてもよい。このような選択情報３２０および／または選択基準３２２は、例えば、図３に図示されるようなメモリ３０８中に記憶されていてもよい。選択情報３２０は、例えば、ＳＰＳインターフェース３０４によって受信された１つ以上の信号に関係する情報を含んでもよい。例えば、選択情報３２０は、信号が受信されたことを識別する情報や、受信信号の信号強度に関係する情報や、受信信号の信号品質に関係する情報や、そこから信号が受信された衛星もしくは類似物の数に関係する情報や、および／または、他の同様の情報を含んでもよい。このような選択情報は、例えば、１つ以上の受信機１１２、および／または、これらの一部、および／または、ポジションロケーター３６０によって提供されてもよい。選択情報３２０は、例えば、ＳＰＳインターフェース３０４から受信された、または、そうではなく集められた同様の情報に基づいて、処理ユニット３０６によって確立されてもよい。
【００４８】
このような選択情報３２０は、選択基準３２２とともに考慮されて、モード３４０によって、いつ受信機１１２を適合するかを決定してもよい。例えば、選択基準３２２は、選択情報３２０によってしきい値が満足された場合に、処理ユニット３０４がモード３４０によって、受信機１１２を適合させることをもたらす、１つ以上のしきい値に関係する情報を含んでもよい。例えば、選択基準３２２は、受信された信号に対応する、受信された信号の信号強度に対応する、受信された信号の信号品質に対応する、そこから信号が受信された衛星または類似物の数に対応する、および／または、他の同様の情報に対応する、しきい値３２４を含んでもよい。
【００４９】
ＳＰＳインターフェース３０４は、例えば、複数の受信機１１２−１、１１２−２、・・・、１１２−ｚを含んでもよい。図３に図示したように、例えば、受信機１１２−１は、適合可能な受信パス３３０−１と、デジタルベースバンドプロセッサ３３２−１を含んでもよく、これらのうちの１つ以上が、モード３４０−１によって、ＳＰＳに関係する信号を受信するように選択的にイネーブルされてもよい。同様に、受信機１１２−２は、例えば、適合可能な受信パス３３０−２と、デジタルベースバンドプロセッサ３３２−２を含んでもよく、これらのうちの１つ以上が、モード３４０−２によって、ＳＰＳに関係する信号を受信するように選択的にイネーブルされてもよく、受信機１１２−ｚが、適合可能な受信パス３３０−ｚと、デジタルベースバンドプロセッサ３３２−ｚを含んでもよく、これらのうちの１つ以上が、モード３４０−ｚによって、ＳＰＳに関係する信号を受信するように選択的にイネーブルされてもよい。この例において、受信機１１２−１、１１２−２、・・・、１１２−ｚを独立したものとして図示したが、他の実施形態において、２つ以上の受信機が、何らかの方法で結合されていてもよく、ならびに／あるいは、あるコンポーネントおよび／または回路を共有してもよい。例えば、ある実施形態において、デジタルベースバンド処理、または、他の信号処理のすべて、または、一部は、結合されてもよく、あるいは、コンポーネント（例えば、プロセッサ、メモリ等）を共有してもよい。
【００５０】
図３にさらに図示したように、ＳＰＳインターフェース３０４は、例えば、ポジションロケーター３６０に動作可能に結合されていてもよい。ここで、ポジションロケーター３６０は、ＳＰＳインターフェース３０４によって受信された１つ以上の信号に、少なくとも部分的に基づいて、ポジションロケーション情報を決定するようにイネーブルされてもよい。ある実施形態では、ポジションロケーター３６０は、１つ以上の受信機１１２によって既に決定されたポジションロケーション情報に基づいて、ポジションロケーション情報を決定するようにイネーブルされていてもよい。したがって、設計に依拠して、受信信号の必要な処理、例えば、ナビゲーション情報を決定することは、受信機１１２において、および／または、ポジションロケーター３６０において発生してもよい。ある実施形態では、例えば、ポジションロケーター３６０は、１つより多いＳＰＳ、１つより多い受信機、１つより多いアンテナ、ならびに／あるいは、１つより多い周波数、周波数帯域および／または周波数チャネルに関係していてもよい、複数の受信信号、および／または、さまざまな決定されたナビゲーション情報を考慮することによって、改善されたナビゲーション情報を提供するようにイネーブルされてもよい。
【００５１】
ポジションロケーター３６０は、例えば、制御装置３０２に対して情報を提供するようにさらにイネーブルされていてもよい。例えば、動作モード関連の情報、選択関連の情報、および／または、選択基準関連の情報が、処理ユニット３０６に提供されてもよく、処理ユニット３０６は、このような情報を考慮して、１つ以上の第１のモード３１０、第２のモード３１２、・・・、第ｎのモード３１４、選択情報３２０、選択基準３２２、および／または、しきい値３２４を確立してもよく、あるいは、そうではなく、影響を及ぼしてもよい。
【００５２】
例えば、メモリ３０８中に記憶されてもよく、処理ユニット３０６（または、デバイス１０２内の、他のサブシステム）に動作可能に関係付けられていてもよい、情報および／または命令は、コンピュータ読出可能媒体３２６によって提供されてもよい。コンピュータ読出可能媒体３２６（コンピュータ読出可能媒体）は、例えば、制御装置３０２、または、デバイス１０２内の、他の類似のサブシステムに選択的に結合されていてもよいオブジェクトを含んでもよい。
【００５３】
ここで使用するように、用語“メモリ”は、任意のタイプの長期の、短期の、揮発性、不揮発性、または、他のメモリを指し、任意のタイプのメモリもしくは任意の数のメモリ、または、情報が記憶されてもよい任意のメディアタイプに制限されていない。
【００５４】
ある例示的な実現において、ここで説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、コンピュータによってアクセスされることができる任意の利用可能な媒体であってもよい。
【００５５】
例として、これらに制限される訳ではないが、このようなコンピュータ読取可能媒体は、ＲＡＭ、ＲＯＭ、ＥＥＰＲＯＭ、ＣＤ−ＲＯＭ、または、他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。
【００５６】
さらに、任意の接続は、厳密にコンピュータ読取可能媒体として呼ばれる。例えば、ソフトウェアが、ウェブサイト、サーバ、または、他のリモート源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体の範囲内に含まれるだろう。
【００５７】
ここで、図４に対する参照を行って、図４は、例えば、デバイス１０２中で実現されてもよい方法４００を図示するフロー図を含む。
【００５８】
ブロック４０２において、デバイス１０２は、複数の異なる衛星ポジショニングシステムからの信号を受信しようと試みる。例えば、ブロック４０２は、ブロック４０６において、少なくとも第１の受信機パスにおいて、第１のＳＰＳに関係する第１の信号を受信するようにイネーブルすることを含んでもよく、ブロック４０８において、少なくとも第２の受信機パスにおいて、他の少なくとも１つのＳＰＳに関係する信号を受信するようにイネーブルすることを含んでもよい。ブロック４０２は、試みられた信号受信に関係する、選択関連の情報、および／または、選択基準関連の情報を集めること、もしくは、そうでなければ、確立することを含んでもよい。ブロック４０２のいくつかの例示的な実施形態を、以下で図５を参照して提供し、図５において、いくつかの適合可能受信機パスおよび／またはそのコンポーネントを図示する。
【００５９】
ブロック４０４において、デバイス１０２は、少なくとも１つの衛星ポジショニングシステムからの少なくとも１つの追加の信号を受信しようと試みる。ここで、例えば、ブロック４１０において、１つ以上の選択基準および／または集められた選択情報に少なくとも部分的に基づいて、追加的に試みられる信号受信のための第１のＳＰＳが選択される。ブロック４１２において、ブロック４１０における選択に応答して、少なくとも第２の受信機パスが、第１のＳＰＳに関係する第２の信号を受信するようにイネーブルされてもよい。ある実施形態において、第２の信号は、第１の信号と同一信号の、異なるように受信されたバージョン（例えば、マルチパス）であってもよい。別の実施形態において、第２の信号は、第１の信号に関係するものとは異なる周波数、周波数帯域、および／または、周波数チャネルに関係していてもよい。ブロック４０４のいくつかの例示的な実施形態を、以下で図５を参照して提供し、図５において、いくつかの適合可能受信機パスおよび／またはそのコンポーネントを図示する。
【００６０】
矢印４１６によって図示したように、ブロック４０２の全てまたは一部と、ブロック４０４は、例えば、デバイスがワイヤレス環境を連続的にもしくは定期的に監視し、そして、より最近に集められた選択情報および／または選択基準に少なくとも部分的に基づいて、１つ以上の受信機を可能なように適合させるように構成されるような何らかの方法で、繰り返されてもよい。
【００６１】
ある実施形態において、１つ以上の受信機は、例えば、複数の動作モードから選択された動作モードにしたがって、ブロック４０２および／または４０４において、イネーブルされてもよい。このような動作モードは、例えば、異なるＳＰＳ、異なる周波数、異なる周波数帯域、および／または、異なる周波数チャネル、異なるロケーション、特定の時間等に関係していてもよい。特定の動作モードまたは、動作モードのグループが、例えば、デバイスにさまざまなタイプのサーチを実行させることを可能にしてもよい、初期化、スタートアップ、および／または、他の同様のプロセスに関係していてもよい。
【００６２】
ブロック４１４において、少なくとも第１の信号（ブロック４０６）および／または第２の信号（ブロック４１２）に少なくとも部分的に基づいて、ポジションロケーション情報が決定されてもよい。例えば、ポジションロケーション情報は、三角測量、三辺測量、および／または、類似物のような技術を使用して、決定されてもよい。ブロック４１４において決定されたポジションロケーション情報は、方法４００の結果として、特に、ブロック４０２および／または４０４により、１つ以上のＳＰＳからの複数の信号を持っていることから、そして、矢印４１６によって、ワイヤレス環境に対して１回より多くイネーブルされているかもしれないので、高レベルの正確性および／または信頼性を提供してもよい。
【００６３】
ここで提供される方法と装置は、例えば、ポジションロケーションを決定する際に、決定し、または、支援するように構成されていてもよい、任意のデバイスに対する利点を保証してもよい。多くのこのようなデバイスに対して、量（ｙｉｅｌｄ）（例えば、位置フィックスが取得されてもよい時間の端数）と、最初にフィックスする時間（ＴＴＦＦ）とが、デバイスの性能および／または有用性に関する重要な考慮事項であってもよい。これらの例示的なパラメータを改善し、そして、可能ならば、最適化するために、ここで提示する方法と装置は、時として、さまざまな異なるＳＰＳからの信号を含む、可能な限り多くの衛星からの信号を利用してもよい。例えば、異なるＳＰＳ、Ｇａｌｉｌｅｏ、および／または、Ｇｌｏｎａｓｓ、および／または、あるワイヤレスシステム／ネットワーク（例えば、セルラネットワーク等）に関係する信号が、ポジションロケーション情報を決定する際に、受信され、処理されてもよい。さらに、例えば、異なる周波数、周波数帯域、および／または、周波数チャネルに関係する信号のような追加の信号が受信されるときに、所定のＳＰＳに対して、追加の正確性および／または信頼性が提供されてもよい。制限としてではない例として、ＧＰＳに関係するＬ１、Ｌ２、および／または、Ｌ５帯域に対してイネーブルされた、および／または、Ｇａｌｉｌｅｏに対して、可能ならば、Ｌ１とＥ５Ａ帯域に対してイネーブルされた、異なる受信機によって受信されてもよい。
【００６４】
ある実施形態において、ここで提供される方法と装置は、例えば、マルチパス信号送信および／または他の信号干渉を含んでもよい環境において、複数の周波数にわたって、信号を受信することによって、例えば、堅牢なナビゲーション能力を提供してもよい。
【００６５】
ここで、図５に注目して、図５は、例えば、図１および３のデバイス１０２中で実現されてもよい装置５００を図示するブロック図である。ここで、ある例示的なコンポーネントを、複数の適合可能な受信機パス３３０−１、３３０−２、・・・、３３０−ｚ内で示し、これらは、選択的にイネーブルされてもよく、または、そうではなく制御装置３０２−２によって、動作モード３４０−１、３４０−２、・・・、３４０−ｚにより、影響を及ぼしてもよい。図５に図示したように、適合可能な受信機パス３３０−１、３３０−２、・・・、３３０−ｚは、対応するデジタルベースバンドプロセッサ３３２−１、３３２−２、・・・、３３２−ｚのそれぞれに対して、動作可能に結合されていてもよい。ある実施形態において、適合可能な受信機パスおよび／またはデジタルベースバンドプロセッサは、例えば、あるコンポーネントおよび／または回路に結合されていてもよく、ならびに／あるいは、１つ以上の、他のこのようなサブシステムと、あるコンポーネントおよび／または回路を共有していてもよい。さらに、ある実施形態において、装置５００の、１つ以上の図示したコンポーネントおよび／またはサブシステムは、例えば、異なるサブシステム中に含まれてもよく、ひょっとすると、新しいサブシステム中に追加されてもよい。例えば、アンテナ５０２および５０４は、適合可能な受信機パスの外側にあるとして図示したが、ある実施形態では、このような適合可能な受信機パス中に含まれてもよい。
【００６６】
適合可能な受信機パス３３０−１は、この例示的な実施形態において、少なくとも１つのアンテナ５０２−１の出力に結合されていてもよい増幅器５０６−１を含んでもよい。増幅器５０６−１は、例えば、少なくともアンテナ５０２−１によって受信され、出力された信号を増幅させるように構成されている、低雑音増幅器または類似物を含んでもよい。増幅器５０６−１は、例えば、アンテナ５０４−１によって、ここで表したような、１つ以上の他のアンテナの出力に対して結合されていてもよく、または、選択的に結合されていてもよい。例えば、アンテナ５０２−１からの信号は、動作モード（３４０−１）によって、増幅器５０６−１によって増幅されてもよく、一方、アンテナ５０４−１からの信号は、このようには増幅されない。その後に、動作モードが変更される場合、アンテナ５０４−１からの信号は、増幅器５０６−１によって増幅されてもよく、他方、アンテナ５０２−１からの信号は増幅されない。他の実施形態において、アンテナ５０２−１および／または５０４−１は、例えば、動作モード３４０−１に少なくとも部分的に基づいて、同一の方法で、選択的にイネーブルされてもよい適合可能な、もしくは、他の同様なアンテナを表してもよい。例えば、アンテナ５０２−１および／または５０４−１は、動作モード３４０−１によって、特定の周波数、周波数帯域、および／または、周波数チャネルにチューニングされていてもよい。
【００６７】
増幅器５０６−１からの出力は、ミキサー５０８−１の入力に結合されていてもよい。ミキサー５０８−１は、例えば、周波数シンセサイザー５１０−１によって提供された１つ以上の信号に基づいて、増幅器５０６−１からの信号を変換するように構成されていてもよい。周波数シンセサイザー５１０−１は、例えば、適合可能な受信機パス３３０−１が、選択された周波数、周波数帯域、および／または、周波数チャネルに関係する信号を受信するようにイネーブルされるように、少なくとも部分的に動作モード３４０−１に応答しているプログラム可能周波数シンセサイザーを含んでもよい。ここで、例えば、周波数シンセサイザー５１０−１は、動作モード３４０−１によってイネーブルされて、ミキサー５０８−１に対して提供されてもよいローカルオシレータ周波数を発生させてもよい。
【００６８】
ミキサー５０８−１からの出力は、利得ブロック５１４−１の入力に結合されていてもよく、これは、ミキサー５０８−１からの変換された信号を増幅させるように構成されていてもよい。利得ブロック５１４−１の出力は、フィルタ５１８−１の入力に結合されていてもよい。フィルタ５１８−１は、例えば、適合可能な受信機パス３３０−１が、選択された周波数、周波数帯域、および／または、周波数チャネルに関係する信号を受信するようにイネーブルされるように、動作モード３４０−１によって選択的にイネーブルされてもよい、ローパスフィルタまたは類似物、あるいは、プログラム可能バンドパスフィルタ（リアルまたはコンプレックス）を含んでもよい。
【００６９】
フィルタ５１８−１の出力は、ＡＤＣ５２２−１によって表現される１つ以上のアナログ対デジタルコンバータの入力に結合されていてもよい。ＡＤＣ５２２−１は、例えば、フィルタ５１８−１によるアナログ信号出力をサンプリングするように構成されていてもよく、対応するデジタル信号を発生させてもよい。結果としてのＡＤＣ５２２−１からのデジタル信号は、例えば、デジタルベースバンドプロセッサ３２２−１に対して提供されてもよく、または、そうでなければ、デジタルベースバンドプロセッサ３２２−１によって、アクセスされてもよい。
【００７０】
デジタルベースバンドプロセッサ３２２−１は、例えば、結果としてのデジタル信号を処理して、ＳＰＳリソース（例えば、衛星）によって送信され、アンテナ５０２−１および／または５０４−１のうちの少なくとも１つによって受信された、オリジナルの対応するワイヤレス信号に関係していてもよく、そして、オリジナルの対応するワイヤレス信号を介して通信されてもよい情報をさらに相関させ、取得し、および／または、そうではなく決定してもよい。例えば、デジタルベースバンドプロセッサ３３２−２は、特定のＧＮＳＳに関係する位置決定プロセスを支援する際に、ナビゲーション情報を決定するように構成されていてもよい。制御装置３０２−２は、例えば、受信された信号、ＧＮＳＳ、および／または、位置決定プロセスに関係する、選択された関連情報、選択基準関連の情報、および／または、他の類似の情報が、少なくとも部分的に、制御装置３０２−２によって考慮されてもよいように、デジタルベースバンドプロセッサ３２２−１に結合されていてもよい。例えば、制御装置３０２−２は、適合可能な受信機パス３３０−２を選択的に適合させてもよい、動作モード３４０−１、および／または、動作モード３４０−２のような、他の動作モードを選択する際に、取得された衛星の数、信号強度、信号品質、または、他の類似の情報に関する、デジタルベースバンドプロセッサ３２２−１からの情報を考慮してもよい。
【００７１】
この例示的な実施形態において、適合可能な受信機パス３３０−２、・・・、３３０−ｚは、適合可能な受信機パス３３０−１と同一の、または、類似の設計のものであってもよい。したがって、例えば、適合可能な受信機パス３３０−２、・・・、３３０−ｚは、それぞれ、例えば、少なくとも１つのアンテナ５０２−２、・・・、−ｚの出力に結合されていてもよい、増幅器５０６−２、・・・、−ｚを含んでいてもよい。増幅器５０６−２、・・・、−ｚは、例えば、少なくともアンテナ５０２−２、・・・、−ｚによって、それぞれ受信され、出力された信号を増幅させるように構成されている、低雑音増幅器または類似物を含んでもよい。増幅器５０６−２、・・・、−ｚは、例えば、それぞれ、アンテナ５０４−２、・・・、−ｚによって、ここで表したような、１つ以上の他のアンテナの出力に対して結合されていてもよく、または、選択的に結合されていてもよい。例えば、アンテナ５０２−２、・・・、−ｚからの信号は、適合可能な動作モード３４０−２、・・・、−ｚによって、増幅器５０６−２、・・・、−ｚによってそれぞれ増幅されてもよい。アンテナ５０２−２、・・・、−ｚは、例えば、動作モード３４０−２によって、特定の周波数、周波数帯域、および／または、周波数チャネルにチューニングされていてもよい。
【００７２】
増幅器５０６−２、・・・、−ｚは、ミキサー５０８−２、・・・、−ｚにそれぞれ結合されていてもよい。ミキサー５０８−２、・・・、−ｚは、例えば、周波数シンセサイザー５１０−２、・・・、−ｚによって提供された１つ以上の信号にそれぞれ基づいて、増幅器５０６−２、・・・、−ｚからの信号を変換するように構成されていてもよい。周波数シンセサイザー５１０−２、・・・、−ｚは、例えば、少なくとも部分的に動作モード３４０−２、・・・、−ｚにそれぞれ応答しているプログラム可能周波数シンセサイザーを含んでもよい。
【００７３】
ミキサー５０８−２、・・・、−ｚは、利得ブロック５１４−２、・・・、−ｚにそれぞれ結合されていてもよく、利得ブロック５１４−２、・・・、−ｚは、フィルタ５１８−２、・・・、−ｚにそれぞれ結合されていてもよい。フィルタ５１８−２、・・・、−ｚは、それぞれＡＤＣ５２２−２、・・・、−ｚにそれぞれ結合されていてもよく、ＡＤＣ５２２−２、・・・、−ｚは、次に提供される対応するデジタル信号を発生させてもよい。ＡＤＣ５２２−２、・・・、−ｚからの結果としてのデジタル信号は、例えば、それぞれ、デジタルベースバンドプロセッサ３２２−２、・・・、−ｚに提供されてもよく、または、デジタルベースバンドプロセッサ３２２２、・・・、−ｚによって、そうではなくアクセスされてもよい。
【００７４】
デジタルベースバンドプロセッサ３２２−２、・・・、−ｚは、例えば、デジタルベースバンドプロセッサ３２２−１に関して上に述べたのと類似の理由のために、制御装置３０２−２に結合されてもよい。
【００７５】
図５の例に図示したように、１つ以上の適合可能なコンポーネントおよび／または回路が、各受信機パス中に提供されてもよく、適用可能な動作モードによって動作可能にイネーブルされる。例えば、周波数シンセサイザーが、異なるＧＮＳＳ信号とともに使用するために必要とされてもよい、ある周波数を発生させるように選択的にイネーブルされてもよく、フィルタは特定の帯域幅に対して選択的にイネーブルされてもよく、および／または、リアルもしくはコンプレックスになるように選択的にイネーブルされてもよく、ならびに／あるいは、ＡＤＣが、特定のサンプルレートに基づいて、および／または、特定の解像度を提供するように、選択的にイネーブルされてもよい。このようにして、装置５００と、したがって、デバイス１０２は、１つ以上のＳＰＳからのさまざまな信号を適切に受信および処理してもよいように、選択的にイネーブルされてもよい。ここでの例に図示したように、制御装置は、例えば、ある動作モードを介して、このようなコンポーネントを選択的に適合させるように構成されていてもよい。
【００７６】
制御装置は、例えば、全体のシステム性能を改善するために、受信機パスの構成をもたらす動作モードを決定するように構成されていてもよい。例えば、制御装置は、いったん所定のＧＮＳＳからフィックスが取得されると、高速フィックス時間または高精度に対して提供される動作モードを選択または確立してもよい。
【００７７】
どのように装置５００がデバイス内で用いられてもよいかの例は、以下のようである。デバイスがターンオンされ、または、開始される場合、デバイスは、できる限り素早く、位置決定フィックスを確立させることが望ましい。このことは、例えば、利用可能な衛星のすべてのまたは選択された一部を、できる限り多くの並列サーチで、できる限り素早く、サーチすることを含んでもよい。このシナリオにおいて、各受信機パスは、フィックスを決定するために、少なくとも１つのＳＰＳ内で、十分な衛星が検出されるまで、異なるＳＰＳをサーチするように選択的にイネーブルされていてもよい。最初のフィックスがどのシステム上で取得されるかに基づいて、１つ以上の他の受信機パスが、そのＳＰＳ内で異なる周波数を受信するように選択的にイネーブルされてもよく、このことは、精度を改善するために提供されてもよい。
【００７８】
引き続いて、この例では、各受信機は、制御装置によって、選択され、または、そうではなく確立されたその動作モードによって、それぞれのＳＰＳ内の衛星からの信号をサーチしてもよい。フィックスが取得されるとすぐに、追加的な受信機が、異なる周波数、周波数帯域、および／または、周波数チャネルにおける信号に対して、同一のＳＰＳをサーチするように再構成されてもよい。ある実施形態では、制御装置は、例えば、異なるアンテナを使用して、同一の信号をサーチするように、ある受信機を構成してもよい。ある実施形態では、１つ以上の動作モードが、受信機またはその一部が、例えば、電力消費を減少させるためにシャットダウンすることをもたらしてもよい。したがって、適切なシグナリングが受信された場合、ＳＰＳインターフェースの一部が、“ターンオフ”され、または、スリープ構成もしくは類似物にされてもよい。逆に、動作モードは、ＳＰＳインターフェースの一部を、“ターンオン”させ、起動させ、または、そうではなく、活性化させてもよい。
【００７９】
ある例示的な実施形態では、デバイスは、ブロッカー、ジャマー、および／または、他の類似の干渉のような、特定のＲＦ信号の存在を検出し、および／または、そうではなく決定してもよい、検出器回路３６１（図３参照）、および／または、他の類似のＲＦ信号回路を含んでもよい。ここで、例えば、制御装置は、ここで記述するのと同一の方法で、１つ以上の受信機を構成／再構成することによって、このようなＲＦ環境要因３１５の１つ以上に応答してイネーブルされてもよい。したがって、このようなデバイスは、１つ以上のＲＦ環境要因を識別すること（例えば、特定し、アクセスし、確立し、検出し、決定し、信号送信すること、等）に対して、動的に応答していてもよい。このようなＲＦ環境要因は、これらの例に必ずしも制限されておらず、ＲＦ環境に関係していてもよい任意のメトリックおよび／または量を含んでいてもよい。これらは、それに対して特許請求の範囲が必ずしも制限されていない、いくつかの例にすぎない。
【００８０】
ある例示的な実施形態において、制御装置は、時間ベースのパラメータ３１７、デバイスモードパラメータ３１９、および／または、受信されたパラメータ３２１（図３参照）に少なくとも部分的に基づいて、いつ、受信機パスを動作可能にイネーブルして、異なるＳＰＳ信号を受信させるかを決定するようにイネーブルされていてもよい。例えば、時間ベースのパラメータ３１７は、タイマー、クロック、および／または、（示していないが、例えば、制御装置３０２に関係していてもよく、制御装置３０２によって提供されてもよく、または、制御装置３０２とは別個であってもよい）類似物に関係していてもよく、これらは、１つ以上の遷移時間を識別してもよく、または、そうではなく、確立してもよい。このような遷移時間は、周期的であってもよく、または、散発的であってもよい。例えば、デバイスモードパラメータ３１９は、デバイスが動作されてもよい１つ以上の動作モードに関係していてもよい。このような動作モードは、例えば、（例えば、電源投入される際に）初期化モード、通常の動作モード、デバイス電力モード、拡張ナビゲーションモード（例えば、緊急ポジショニング動作）、特定の位置解像度モード（例えば、より高いまたはより低い位置決定／ナビゲーションの精度／解像度が所望されるかもしれないとき）、（例えば、デバイスが実行してもよい別の機能を待っているデバイスに関係する）別のデバイス機能モード、および／または、他の類似のデバイスモードを含んでもよい。例えば、受信されたパラメータ３２１は、ワイヤードおよび／またはワイヤレスリンクを通して（例えば、ワイヤレス通信システム１０４を介して）、別のデバイスから、デバイスによって受信されてもよい。これらは、特許請求の範囲がこれらに対して必ずしも制限されない、いくつかの例にすぎない。
【００８１】
ここで記述した方法は、応用に応じて、さまざまな手段によって、実現されてもよい。例えば、これらの方法は、ハードウェア、ファームウェア、ソフトウェア、または、これらの組み合わせ中で実現されてもよい。ハードウェア実現では、デバイス１０２のすべてまたは一部が、１つ以上の特定用途向け集積回路（ＡＳＩＣ）、デジタル信号プロセッサ（ＤＳＰ）、デジタル信号処理デバイス（ＤＳＰＤ）、プログラム可能ロジックデバイス（ＰＬＤ）、フィールドプログラムゲートアレイ（ＦＰＧＡ）、プロセッサ、制御装置、マイクロ制御装置、マイクロプロセッサ、電子的デバイス、ここで記述した機能を実行するように設計されている、他の電子的ユニット、あるいは、これらの組み合わせ内で実現されてもよい。
【００８２】
ファームウェアおよび／またはソフトウェア実現では、技法は、ここで説明する機能を実行するモジュール（例えば、手続、関数等）とともに実現されてもよい。ここで記述した技法を実現する際に、命令を有体的に実現する機械またはコンピュータ読取可能媒体を使用してもよい。例えば、ソフトウェアコードまたは命令および他のデータは、メモリ、例えば、メモリ３１０中に記憶されてもよく、デバイス１０２内の処理ユニット３０８または他の類似の回路によって実行される。
【００８３】
さまざまな方法およびシステムを使用して、ある例示的な技法について記述し、図示してきたが、当業者は、特許請求された主題から逸脱することなく、さまざまな他の修正が行われてもよく、均等物が置き換えられてもよいことを理解するだろう。追加的に、数多くの修正は、ここで記述した中心的な概念から逸脱することなく、特許請求された主題の教示に対する特定の状況に適合するように行われてもよい。したがって、特許請求された主題は、開示された特定の例に制限されておらず、このような特許請求された主題はまた、添付の特許請求の範囲の範囲内に収まるすべての観点と、これらの均等物もまた、含んでもよい。
【図１】
2015057602.tif 000014
【図２】
2015057602.tif 000015
【図３】
2015057602.tif 000016
【図４】
2015057602.tif 000017
【図５】
2015057602.tif 000018
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
第１の衛星ポジショニングシステム（ＳＰＳ）に関係する第１の信号を受信するように、少なくとも第１の受信機パスを、動作可能にイネーブルすることと、
他の少なくとも１つのＳＰＳに関係する信号を受信するように、少なくとも第２の受信機パスを、動作可能にイネーブルすることと、
その後に、前記第１のＳＰＳに関係する第２の信号を受信するように、少なくとも前記第２の受信機パスを、動作可能にイネーブルすることと
を含む方法。
【手続補正２】
【補正対象書類名】明細書
【補正対象項目名】００８３
【補正方法】変更
【補正の内容】
【００８３】
さまざまな方法およびシステムを使用して、ある例示的な技法について記述し、図示してきたが、当業者は、特許請求された主題から逸脱することなく、さまざまな他の修正が行われてもよく、均等物が置き換えられてもよいことを理解するだろう。追加的に、数多くの修正は、ここで記述した中心的な概念から逸脱することなく、特許請求された主題の教示に対する特定の状況に適合するように行われてもよい。したがって、特許請求された主題は、開示された特定の例に制限されておらず、このような特許請求された主題はまた、添付の特許請求の範囲の範囲内に収まるすべての観点と、これらの均等物もまた、含んでもよい。
以下に、本願出願の当初の特許請求の範囲に記載された発明を付記する。
［１］第１の衛星ポジショニングシステム（ＳＰＳ）に関係する第１の信号を受信するように、少なくとも第１の受信機パスを、動作可能にイネーブルすることと、
他の少なくとも１つのＳＰＳに関係する信号を受信するように、少なくとも第２の受信機パスを、動作可能にイネーブルすることと、
その後に、前記第１のＳＰＳに関係する第２の信号を受信するように、少なくとも前記第２の受信機パスを、動作可能にイネーブルすることと
を含む方法。
［２］少なくとも１つのＲＦ環境要因に少なくとも部分的に基づいて、前記第２のＳＰＳ信号を受信するように、少なくとも前記第２の受信機パスを、動作可能にイネーブルすることをさらに含む、上記［１］の方法。
［３］前記少なくとも１つのＲＦ環境要因を識別することをさらに含む、上記［２］の方法。
［４］時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルすることをさらに含む、上記［１］の方法。
［５］前記第１の信号を介して、少なくともしきい値の数の衛星からの情報の受信に少なくとも部分的に応答して、前記第２のＳＰＳ信号を受信するように、少なくとも前記第２の受信機パスを、動作可能にイネーブルすることをさらに含む、上記［１］の方法。
［６］少なくともしきい値の信号強度の前記第１の信号の受信に少なくとも部分的に応答して、前記第２の信号を受信するように、少なくとも前記第２の受信機パスを、動作可能にイネーブルすることをさらに含む、上記［１］の方法。
［７］少なくともしきい値の信号品質の前記第１の信号の受信に少なくとも部分的に応答して、その後に応答して、前記第２の信号を受信するように、少なくとも前記第２の受信機パスを、動作可能にイネーブルすることをさらに含む、上記［１］の方法。
［８］前記第１の信号は、第１の周波数帯域または第１の周波数チャネルに関係しており、前記第２の信号は、第２の周波数帯域または第２の周波数チャネルに関係している、上記［１］の方法。
［９］前記第１の信号は、１つのＳＰＳ信号の見通し線バージョンを含み、前記第２の信号は、前記１つのＳＰＳ信号のマルチパスバージョンを含む、上記［１］の方法。
［１０］前記第２の信号を受信するように、前記第２の受信機パスを、動作可能にイネーブルすることは、
前記第２の信号を受信するように、前記第２の受信機パスに動作可能に関係している少なくとも１つの適合可能コンポーネントを、選択的に動作可能にイネーブルすることを含む、上記［１］の方法。
［１１］前記少なくとも１つの適合可能コンポーネントは、適合可能アンテナ、少なくとも１つの選択可能アンテナ、適合可能フィルタ、適合可能シンセサイザー、および／または、ベースバンドプロセッサのうちの少なくとも１つを含む、上記［１０］の方法。
［１２］前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、上記［１］の方法。
［１３］前記第１の信号および前記第２の信号のうちの少なくとも１つに少なくとも部分的に基づいて、ポジションロケーション情報を決定することをさらに含む、上記［１］の方法。
［１４］複数の受信機パスと、
前記複数の受信機パスに動作可能に結合されている制御装置と
を具備する装置において、
前記制御装置は、
（ｉ）第１の衛星ポジショニングシステム（ＳＰＳ）に関係する第１の信号を受信するように、少なくとも第１の受信機パスを、動作可能にイネーブルし、
（ｉｉ）他の少なくとも１つのＳＰＳに関係する信号を受信するように、少なくとも第２の受信機パスを、動作可能にイネーブルし、
（ｉｉｉ）前記第１のＳＰＳに関係する第２の信号を受信するように、少なくとも前記第２の受信機パスを、選択的に動作可能にイネーブルする
ように動作可能にイネーブルされている、装置。
［１５］前記制御装置は、
少なくとも１つのＲＦ環境要因に少なくとも部分的に基づいて、前記第２のＳＰＳ信号を受信するように、少なくとも前記第２の受信機パスを、動作可能にイネーブルするようにイネーブルされている、上記［１４］の装置。
［１６］前記制御装置に動作可能に結合されている回路をさらに具備し、
前記回路は、前記少なくとも１つのＲＦ環境要因を識別するようにイネーブルされている、上記［１５］の装置。
［１７］前記制御装置は、
時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルするようにイネーブルされている、上記［１４］の装置。
［１８］前記制御装置は、
前記第１の信号を介して、少なくともしきい値の数の衛星からの情報の受信に少なくとも部分的に応答して、前記第２の信号を受信するように、少なくとも前記第２の受信機パスを、選択的に動作可能にイネーブルするようにイネーブルされている、上記［１４］の装置。
［１９］前記制御装置は、
少なくともしきい値の信号強度を有する前記第１の信号の受信に少なくとも部分的に応答して、前記第２の信号を受信するように、少なくとも前記第２の受信機パスを、選択的に適合させるように動作可能にイネーブルされている、上記［１４］の装置。
［２０］前記制御装置は、
少なくともしきい値の信号品質を有する前記第１の信号の受信に少なくとも部分的に応答して、前記第２の信号を受信するように、少なくとも前記第２の受信機パスを、選択的に適合させるように動作可能にイネーブルされている、上記［１４］の装置。
［２１］前記第１の信号は、第１の周波数帯域または第１の周波数チャネルに関係しており、前記第２の信号は、第２の周波数帯域または第２の周波数チャネルに関係している、上記［１４］の装置。
［２２］前記第１の信号は、１つのＳＰＳ信号の見通し線バージョンを含み、前記第２の信号は、前記１つのＳＰＳ信号のマルチパスバージョンを含む、上記［１４］の装置。
［２３］少なくとも前記第２の受信機パスは、適合可能アンテナ、少なくとも１つの選択可能アンテナ、適合可能フィルタ、適合可能シンセサイザー、および／または、ベースバンドプロセッサのうちの少なくとも１つに動作可能に関係している、上記［１４］の装置。
［２４］前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、上記［１４］の装置。
［２５］少なくとも前記複数の受信機パスに動作可能に結合されているポジションロケーターをさらに具備し、
前記ポジションロケーターは、
前記第１の信号および前記第２の信号のうちの少なくとも１つに少なくとも部分的に基づいて、ポジションロケーション情報を決定するように動作可能にイネーブルされている、上記［１４］の装置。
［２６］少なくとも前記複数の受信機パスと、前記制御装置とは、移動体デバイス内で提供される、上記［１４］の装置。
［２７］第１の衛星ポジショニングシステム（ＳＰＳ）に関係する第１の信号を選択的に受信する手段と、
第２のＳＰＳに関係する信号を選択的に受信する手段と、
前記第１の信号に少なくとも部分的に基づいて、前記第２のＳＰＳに優先して前記第１のＳＰＳを選択し、これに応答して、前記第２のＳＰＳに関係する信号を選択的に受信する手段に、前記第１のＳＰＳに関係する第２の信号を選択的に受信することを開始させる手段と
を具備する装置。
［２８］前記第２のＳＰＳに優先して前記第１のＳＰＳを選択する手段は、少なくとも１つのＲＦ環境要因に少なくとも部分的に基づいて、前記第２のＳＰＳ信号を受信するように、少なくとも前記第２の受信機パスを、動作可能にイネーブルするようにイネーブルされている、上記［２７］の装置。
［２９］前記少なくとも１つのＲＦ環境要因を識別する手段をさらに具備する、上記［２８］の装置。
［３０］前記第２のＳＰＳに優先して前記第１のＳＰＳを選択する手段は、時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルするようにイネーブルされている、上記［２７］の装置。
［３１］前記第２のＳＰＳに優先して前記第１のＳＰＳを選択する手段は、前記第２のＳＰＳに関係する前記信号を選択的に受信する手段に、前記関係する第２のＳＰＳ信号を選択的に受信することを開始させる前に、前記第１の信号を介して、少なくともしきい値の数の衛星からの情報が受信されたか否かを決定するように、動作可能にイネーブルされている、上記［２７］の装置。
［３２］前記第２のＳＰＳに優先して前記第１のＳＰＳを選択する手段は、前記第２のＳＰＳに関係する信号を選択的に受信する手段に、前記関係する第２のＳＰＳ信号を選択的に受信することを開始させる前に、少なくともしきい値の信号強度を有する前記第１の信号が受信されたか否かを決定するように、動作可能にイネーブルされている、上記［２７］の装置。
［３３］前記第２のＳＰＳに優先して前記第１のＳＰＳを選択する手段は、前記第２のＳＰＳに関係する信号を選択的に受信する手段に、前記関係する第２のＳＰＳ信号を選択的に受信することを開始させる前に、少なくともしきい値の信号品質を有する前記第１の信号が受信されたか否かを決定するように、動作可能にイネーブルされている、上記［２７］の装置。
［３４］前記第１の信号は、第１の周波数帯域または第１の周波数チャネルに関係しており、前記第２の信号は、第２の周波数帯域または第２の周波数チャネルに関係している、上記［２７］の装置。
［３５］前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、上記［２７］の装置。
［３６］前記第１の信号および前記第２の信号のうちの少なくとも１つに少なくとも部分的に基づいて、ポジションロケーション情報を決定する手段をさらに含む、上記［２７］の装置。
［３７］コンピュータ実行可能命令を記憶しているコンピュータ読取可能媒体を有する製品において、
前記コンピュータ実行可能命令は、１つ以上の処理ユニットによって実行される場合に、前記１つ以上の処理ユニットを動作可能にイネーブルして、
（ｉ）第１の衛星ポジショニングシステム（ＳＰＳ）に関係する第１の信号を受信するように、少なくとも第１の受信機パスを適合させ、
（ｉｉ）他の少なくとも１つのＳＰＳに関係する信号を受信するように、少なくとも第２の受信機パスを適合させ、
（ｉｉｉ）前記第１のＳＰＳに関係する第２の信号を受信するように、少なくとも前記第２の受信機パスを、選択的に適合させる製品。
［３８］前記コンピュータ実行可能命令は、１つ以上の処理ユニットによって実行される場合に、前記１つ以上の処理ユニットを動作可能にイネーブルして、少なくとも１つのＲＦ環境要因に少なくとも部分的に基づいて、前記第２のＳＰＳ信号を受信するように、少なくとも前記第２の受信機パスを、動作可能にイネーブルさせる、上記［３７］の製品。
［３９］前記コンピュータ実行可能命令は、１つ以上の処理ユニットによって実行される場合に、前記１つ以上の処理ユニットを動作可能にイネーブルして、前記少なくとも１つのＲＦ環境要因にアクセスさせ、または、前記少なくとも１つのＲＦ環境要因を受信させる、上記［３８］の製品。
［４０］前記コンピュータ実行可能命令は、１つ以上の処理ユニットによって実行される場合に、前記１つ以上の処理ユニットを動作可能にイネーブルして、時間パラメータ、デバイスモードパラメータ、および／または、受信されたパラメータのうちの少なくとも１つに少なくとも部分的に基づいて、前記第２のＳＰＳ信号を受信するように、少なくとも前記第２の受信機パスを、動作可能にイネーブルさせる、上記［３７］の製品。
［４１］前記コンピュータ実行可能命令は、１つ以上の処理ユニットによって実行される場合に、前記１つ以上の処理ユニットを動作可能にイネーブルして、前記第１の信号を介して、少なくともしきい値の数の衛星からの情報の受信に少なくとも部分的に応答して、前記第２の信号を受信するように、少なくとも前記第２の受信機パスを、動作可能にイネーブルさせる、上記［３７］の製品。
［４２］前記コンピュータ実行可能命令は、１つ以上の処理ユニットによって実行される場合に、前記１つ以上の処理ユニットを動作可能にイネーブルして、少なくともしきい値の信号強度を有する前記第１の信号の受信に少なくとも部分的に応答して、前記第２の信号を受信するように、少なくとも前記第２の受信機パスを、動作可能にイネーブルさせる、上記［３７］の製品。
［４３］前記コンピュータ実行可能命令は、１つ以上の処理ユニットによって実行される場合に、前記１つ以上の処理ユニットを動作可能にイネーブルして、少なくともしきい値の信号品質を有する前記第１の信号の受信に少なくとも部分的に応答して、前記第２の信号を受信するように、少なくとも前記第２の受信機パスを、動作可能にイネーブルさせる、上記［３７］の製品。
［４４］前記第１の信号は、第１の周波数帯域または第１の周波数チャネルに関係しており、前記第２の信号は、第２の周波数帯域または第２の周波数チャネルに関係している、上記［３７］の製品。
［４５］前記第１のＳＰＳは、第１のグローバル衛星ナビゲーションシステム（ＧＮＳＳ）を含み、前記他の少なくとも１つのＳＰＳは、前記第１のＧＮＳＳとは異なる第２のＧＮＳＳを含む、上記［３７］の製品。
【外国語明細書】
2015057602000001.pdf